(57)【要約】      （修正有）【課題】シートを取外し可能なものにするとともに、ケース内部に水が入り込むことを防止する防水型取外し可能シート付きケースを提供する。【解決手段】本体と、本体内部に取外し可能なシートを取り付けるための開閉可能な止め具を備えることにより、取外し可能なシートを交換可能とする。閉鎖状態では、本体内部が本体外部の防水性の素材によって密閉されることにより、本体内部への水漏れ防止を可能とする。【選択図】図３
0003167344.tif 000002
【実用新案登録請求の範囲】
【請求項１】
収納する釣り具（ルアーやフライなど）が増えてしまうため、ファイル形式にして収納数を増やせるようにした。
【請求項２】
素材をネオプレーンにする事により外側の防水を保ちながら釣り針を刺すことを可能にした。
【考案の詳細な説明】
【技術分野】
【０００１】
【背景技術】
【０００２】
【先行技術文献】
【特許文献】
【０００３】
【特許文献１】
【特許文献２】
【非特許文献】
【０００４】
【非特許文献１】
【非特許文献２】
【考案の概要】
【考案が解決しようとする課題】  外側の水濡れと徐々に増える道具を収納する
【課題を解決するための手段】  外側の素材をネオプレーンにした、ワレットをファイル形式にした
【考案の効果】  ネオプレーンなので水に濡れても特に問題は起きず、釣り針を刺すことも可能になった。収納をファイル形式にする事のより最高５倍の収納が可能になった
【図面の簡単な説明】
【図１】外側のネオプレーンと内側のファイルの位置関係を図解説明
【考案を実施するための形態】
この製品を製造販売する
【実施例】  製造して販売する
【産業上の利用可能性】  可能性はある
【符号の説明】  Ａは外側    Ｂは内側を表したもの
【図１】
0003167344.tif 000003
【手続補正書】
【提出日】平成22年12月16日(2010.12.16)
【手続補正１】
【補正対象書類名】実用新案登録請求の範囲
【補正対象項目名】全文
【補正方法】変更
【補正の内容】
【実用新案登録請求の範囲】
【請求項１】
本体と、本体内部に取外し可能なシートを取り付けるための開閉可能な止め具を備えることにより、取外し可能なシートを交換可能としたことを特徴とするケース。
【請求項２】
閉鎖状態では、本体内部が本体外部の防水性の素材によって密閉されることにより、本体内部への水漏れ防止を可能としたことを特徴とする請求項１記載のケース。
【手続補正２】
【補正対象書類名】明細書
【補正対象項目名】全文
【補正方法】変更
【補正の内容】
【考案の詳細な説明】
【技術分野】
【０００１】本考案は、魚釣りの際に用いる針を収納するケースに関する考案である。
【背景技術】
【０００２】従来の技術として、魚釣りの際に用いる針を刺して収納するためのシートを本体内部に内蔵するケースは存在した。しかし、このような従来の技術では、前記シートの交換が不可能であったため、前記魚釣りの際に用いる針を複数回刺して前記シートが毀損したことにより、前記シートを利用することが困難または不可能になった場合には、前記ケースそれ自体を廃棄せざるを得ないという問題点があった。また、従来の技術では、前記ケース外部の素材が防水性ではないことにより、前記ケース内部に水が入り込んでしまうという問題点があった。
【考案の概要】
【考案が解決しようとする課題】  本考案は、従来の技術の問題点を解決するためのもので、前記シートを取外し可能なものにするとともに、前記ケース内部に水が入り込むことを防止することを目的とするものである。
【課題を解決するための手段】  本考案は、前記ケース内部に前記取外し可能なシートを取り付けるための開閉可能な止め具を設けることにより、前記止め具の開閉によって前記取外し可能なシートを交換可能にするとともに、前記ケース外部を防水性の素材にしたものである。
【考案の効果】  本考案は、前記取外し可能なシートが毀損した場合にはそれを交換することにより前記ケースを永続的に使用することを可能にするとともに、前記ケース外部を防水性の素材にすることにより前記ケース内部に水が入り込むことを防止することを可能にするものである。
【考案を実施するための形態】
【実施例】  図１のように、前記ケースを閉じた状態では、外部の防水性の素材によって水が前記ケースの内部に入り込むことを防止できる。
図３のように、前記ケースを開くと、前記ケースの内部には前記止め具が備え付けられている。前記ケース内部の前記止め具を閉じた状態にすると、前記取外し可能なシートを取り付けた状態にすることができる。前記止め具を開いた状態にすると、前記取外し可能なシートを取り外して新たな前記取外し可能なシートに交換することができ、また、前記取外し可能なシートを複数枚取り付けることによって、前記魚釣りの際に用いる針を刺すことができる場所を増やし、前記魚釣りの際に用いる針を大量に収納することが可能となる。
【手続補正３】
【補正対象書類名】図面
【補正対象項目名】全図
【補正方法】変更
【補正の内容】
【図１】
0003167344.tif 000004
【図２】
0003167344.tif 000005
【図３】
0003167344.tif 000006
【手続補正書】
【提出日】平成23年2月25日(2011.2.25)
【手続補正１】
【補正対象書類名】手続補正書
【補正対象項目名】手続補正２
【補正方法】変更
【補正の内容】
【手続補正２】
【補正対象書類名】明細書
【補正対象項目名】全文
【補正方法】変更
【補正の内容】
【考案の詳細な説明】
【技術分野】
【０００１】  本考案は、魚釣りの際に用いる針を収納するケースに関する考案である。
【背景技術】
【０００２】  従来の技術として、魚釣りの際に用いる針を刺して収納するためのシートを本体内部に内蔵するケースは存在した。しかし、このような従来の技術では、前記シートの交換が不可能であったため、前記魚釣りの際に用いる針を複数回刺して前記シートが毀損したことにより、前記シートを利用することが困難または不可能になった場合には、前記ケースそれ自体を廃棄せざるを得ないという問題点があった。また、従来の技術では、前記ケース外部の素材が防水性ではないことにより、前記ケース内部に水が入り込んでしまうという問題点があった。
【考案の概要】
【考案が解決しようとする課題】  本考案は、従来の技術の問題点を解決するためのもので、前記シートを取外し可能なものにするとともに、前記ケース内部に水が入り込むことを防止することを目的とするものである。
【課題を解決するための手段】  本考案は、前記ケース内部に前記取外し可能なシートを取り付けるための開閉可能な止め具を設けることにより、前記止め具の開閉によって前記取外し可能なシートを交換可能にするとともに、前記ケース外部を防水性の素材にしたものである。
【考案の効果】  本考案は、前記取外し可能なシートが毀損した場合にはそれを交換することにより前記ケースを永続的に使用することを可能にするとともに、前記ケース外部を防水性の素材にすることにより前記ケース内部に水が入り込むことを防止することを可能にするものである。
【図面の簡単な説明】
【０００３】
【図１】本体であるケースを閉じた状態の図である。
【図２】本体であるケースを開いた状態とし、その全体の概観を示す図である。
【図３】本体であるケース内部に備え付けられた取外し可能なシートを取り付けるための開閉可能な止め具及び取外し可能なシートの図である。
【考案を実施するための形態】
【実施例】
【０００４】  図１のように、前記ケースを閉じた状態では、外部の防水性の素材によって水が前記ケースの内部に入り込むことを防止できる。
図３のように、前記ケースを開くと、前記ケースの内部には前記止め具が備え付けられている。前記ケース内部の前記止め具を閉じた状態にすると、前記取外し可能なシートを取り付けた状態にすることができる。前記止め具を開いた状態にすると、前記取外し可能なシートを取り外して新たな前記取外し可能なシートに交換することができ、また、前記取外し可能なシートを複数枚取り付けることによって、前記魚釣りの際に用いる針を刺すことができる場所を増やし、前記魚釣りの際に用いる針を大量に収納することが可能となる。